(57)【特許請求の範囲】
【請求項１】
スライド自在な扉体を開口枠前において水平移動させて扉体を開口枠に押付け密閉する電磁波シールド扉の扉下部シールド構造であって、
上記扉体の底部全長に亘って取り付けられる導電性のシールド片と、上記開口枠前の床面に設置され、上記扉体が開口枠側に向かって上記水平移動するときに上記シールド片を接触させるＶ字状溝をその上面に形成した導電性の下枠材と、を有する電磁波シールド扉の扉下部シールド構造。
【請求項２】
請求項１記載のシールド構造において、上記シールド片を複数本とし、この複数本のシールド片を各別に収容する複数条のＶ字状溝を上記下枠材の上面に形成した、シールド構造。
【請求項３】
請求項１記載のシールド構造において、上記シールド片が上記扉体の正面又は背面から取り付け、取り外し可能なＬ字型の取付ブラケットを介して上記扉体に固定される、シールド構造。
【請求項４】
請求項２記載のシールド構造において、上記複数本のシールド片をそれぞれ固定したＬ字型の取付ブラケットを、上記扉体の一側、及び他側の扉体正面から取り付け、取り外し可能とした、シールド構造。
【請求項５】
請求項３又は請求項４記載のシールド構造において、上記開口枠側から上記扉体に固定されるＬ字型の取付ブラケットの角部が上記開口枠内に膨出する断面形状である、シールド構造。
【発明の詳細な説明】
【０００１】
【発明の属する技術分野】
本発明は、例えば、病院のＭＲＩ室などの出入口に設置され、電磁波の侵入または漏れを防ぐ電磁波シールド扉の扉下部シールド構造に関する。
【０００２】
【従来の技術】
病院のＭＲＩ室などの室の出入口等の扉体で閉じられる開口部においては、開口部周囲に導電性のシールド材を設け、このシールド材にスライド自在な扉体を押し付けて電磁波を遮蔽することが行なわれている。
【０００３】
【発明が解決しようとする課題】
前記電磁波シールド扉では、開口部を形成する枠体が床面より突出する構造となるため、ストレッチャー等の台車が容易に出入できない問題がある。
またこの他に、床面に形成した凹溝内に扉体の下部を侵入させ、この扉体を開口部前で開口面側へ水平移動させるときに凹溝内のシールド材に扉体の下部を押し付けてシールドする構成のものもあるが、この構成では、凹溝内にごみ、水等が溜まる恐れがあり、シールド効果に悪影響を及ぼす問題がある。
本発明は、開口部の床面に大きな段差、溝がなく、ストレッチャー等の台車が用意に出入りできるシールド構造を提供することを課題とする。
【０００４】
【課題を解決するための手段】
本発明の電磁波シールド扉の扉下部シールド構造は、スライド自在な扉体を開口枠前において水平移動させて扉体を開口枠に押付け密閉する電磁波シールド扉の扉下部シールド構造であって、上記扉体の底部全長に亘って取り付けられる導電性のシールド片と、上記開口枠前の床面に設置され、上記扉体が開口枠側に向かって上記水平移動するときに上記シールド片を接触させるＶ字状溝をその上面に形成した導電性の下枠材と、を有する。
【０００５】
この手段では、扉体を開口枠側へ押し付ける水平移動により、扉体の底部に取付けたシールド片が下枠材に形成したＶ字状溝に接触して扉下部のシールド状態となる。Ｖ字状溝を設ける構成により、従来のように床面に扉体の下縁部が入るような大きな溝を設ける必要がなく、段差を殆どなくすことができるから、ストレッチャー等の台車が容易に出入りできる。
【０００６】
上記シールド片は、複数本とし、この複数本のシールド片を各別に収容する複数条のＶ字状溝を上記下枠材の上面に形成するのが良い。この構成では、シールド作用するシールド片を複数本とこれに対応する複数条のＶ字状溝を設けることにより、例えば２本と２条設けることにより２重構造となり、シールド効果をより一層高めることができる。
【０００７】
上記シールド片が、上記扉体の正面または背面から取り付け、取り外し可能なＬ字型の取付ブラケットを介して上記扉体に固定される構成とするのが良い。この構成では、扉体を吊設した状態、すなわち通常使用の開閉可能な状態でシールド片の交換作業が容易にできる。
【０００８】
上記複数本のシールド片をそれぞれ固定したＬ字型の取付ブラケットを、上記扉体の一側、及び他側の扉体正面から取り付け、取り外し可能とした構成とするのが良い。正面または背面から取付けるＬ字型のブラケットは、シールド片を取付ける部分が片持ち支持された状態のものであるから、一つの取付ブラケットに複数本のシールド片を固定したのでは扉の底部に固定したときに垂れ下がる恐れがある。この構成では、取付ブラケットの垂れ下がりを防止できる。
【０００９】
上記開口枠側から上記扉体に固定されるＬ字型の取付ブラケットの角部が上記開口枠内に膨出する断面形状である構成とするのが良い。この種のシールド扉では扉体の上縁と両側縁とに設けるシールド材又は押込み片が扉体の下端に達しており、開口枠側に少し突出した状態で設けられる。  この構成では、膨出させた構成により見栄えを損なうことなく、シールド片を開口枠側に接近して取り付けることができ、開口枠前の下部に大きな隙間を作ることがなく、シールド効果を向上できる。
【００１０】
【発明の実施の形態】
本発明の実施形態を、図１〜図７を用いて説明する。この扉下部シールド構造を適用する電磁波シールド扉の１例を図１に示す。ＭＲＩ室の出入口を形成するように、開口枠１が設けられており、その開口枠１の前面に沿って扉体２が図の左右に移動して開口３、つまり出入口を開閉するようになっている。そして、扉体２が開口３を閉じる閉動作の最終段階で、開口枠１の前に移動してきた後で開口枠１側に水平移動することにより押し付けられてシールド状態となる。この場合、開口３の周囲の上部と両側のシールド構造は、図３（ａ）に断面図として見られるように、扉体２が押し付けられる開口枠１の面に弾性変形するパッキン状のシールド材４が2条平行に設けられ、扉体２にはこのシールド材４に対応して押込み片５が2条突設されているものである。そのシールド材４は、ゴムに導電性を付与したもので、例えばゴムに無電解めっきで導電性の被膜を施したもの、あるいは可撓性の金属網で被覆したものである。押込み片５は導電性金属板、例えばＳＵＳ３０４の板材を折り曲げ形成した突起である。従って、この押込み片５がシールド材４に向かって押込まれることにより互いに確実に密着して開口３の上縁と両側とが電磁シールド状態となる。なお、上記パッキン状のシールド材４を扉体２に設け、上記押込み片５を開口枠１側に設ける、上記とは逆の構成とする場合もあり得る。
【００１１】
扉体２の開閉駆動部及び押付駆動部の構成は、従来公知のものである。図１に概略を示すように、開閉駆動部は、閉位置の扉体２の上側位置と戸袋６上部とに跨ってレール７を設け、このレール７に沿って移動できるように扉体２が転子８付き吊下げ部９を介して支持され、別に張設されていて電動モータで走行駆動される無端走行条体（ベルト、チェーン等）１０に吊り下げ部９が連結部１１を介して連結されている。この吊下げ部９には、詳細な図示説明は省略するが、扉体２が開口枠１の側へ水平にスライド可能なように支持ししており、常時ばね作用で扉体を開口枠１側から少し離れて位置するように押圧している。扉体２は無端走行条体１０の進退により開閉される。
【００１２】
押付駆動部は、扉体２を開口枠１側へ押付けるものであるから、例えば閉位置にある扉体２の四隅に対応して設けられ、開口枠１前側の位置にある扉体２を挟む位置に押圧カム１２が配置され、扉体２が閉じるときの最終段階で押付け動作するようになっている。押圧カム１２は同じ側のものが上下で同一の軸１３に設けられ、その軸１３が夫々電動シリンダ１４によって回転駆動され、押圧カム１２が押付け動作するようになっている。この押し付け動作は、前記ばね作用に抗して行われ、扉体２をスライドさせ、押付け作用を解除すると、扉体２は開口枠１側から少し離れた元の位置にばね作用で戻る。なお、この開閉駆動部及び押付駆動部の構成は、このような構成に限らず別の構成であってもよい。要は、扉体が、スライド自在で、開口枠前において扉体を水平にスライドさせて開口枠周囲に押付けることができる構成のものであればよい。
【００１３】
開口３下縁の、つまり扉下部シールド構造は、図２、図３に示すように、扉体２側に設けられるシールド片２０と、開口枠１の下枠材２１とからなる。シールド片２０は、市販されているもので、例えば、ベリリウム銅製のフィンガータイプシールド材（北川工業株式会社販売）を用いる。このシールド材４は図６、図７等に見られるように、細長い帯状の取付け部の一方の縁部に多数の小さい舌片状部が同様に湾曲して突出した突出部２３を有するものであり、図４、図５に示すブラケット２４、２５に、図６、図７に示すように取付けて、図２、図３に示すように、扉体２の底に取付けられる。ブラケット２４、２５は、何れも導電性の金属板、例えばＳＵＳ３０４で形成した断面がＬ字状のもので、長さが扉体２の底部の長さと同じに形成されている。
【００１４】
図４に示すブラケット２４は、断面Ｌ字型の一方の辺に相当する部分が、扉体２の下部の開口枠１側の面に当接させて取付けられる適当な幅の取付板部２６をなしており、断面Ｌ字型の角部が、図４（ｂ）に示すように、その取付板部２６側で屈曲して膨出した形状とされ、両端部に前述した押込み片５位置に対応して夫々切欠部２７を設けられており、また、扉体２にねじで取付けるためのねじ挿通孔２８を適当数設けてある。断面Ｌ字型の他方の辺に相当する部分は、前記シールド片２０を取付けられる幅の平坦な帯状をなし、扉体２の底面に沿って配置されてその下面に少し突出するようにシールド片２０を全長に亘って取付けられるようになっており、シールド片２０を取付けるための幾つかのねじ孔２９を設けてある。このブラケット２４にシールド片２０をねじ３０で取付けた状態を図６に示す。シールド片２０は湾曲した突出部２３が下方に突出した状態で取付けられている。
【００１５】
図５に示すブラケット２５は、断面Ｌ字型の一方の辺に相当する部分が、扉体２の下部の開口枠１側と反対側の面に当接させて取付けられる適当な幅の取付板部３１をなしており、扉体２にねじで取付けるためのねじ挿通孔３２を適当数設けてある。断面Ｌ字型の他方の辺に相当する部分は、前記シールド片２０の１本を取付けられる幅の平坦な帯状をなし、扉体２の底面に沿って配置されてその下面に少し突出するようにシールド片２０を全長に亘って取付けられるようになっており、シールド片２０を取付けるための幾つかのねじ孔３３を設けてある。このブラケット２５にシールド片２０をねじ３４で取付けた状態を図７に示す。
【００１６】
図６に示すシールド片２０付きのブラケット２４は、図２（ａ）に示すように、取付けねじ３５によって扉体２の下端正面に取付けられ、図７に示すシールド片２０付きのブラケット２５は、図２（ｂ）に示すように、取付けねじ３６によって扉体２の下端背面に取付けられる。このように扉体２の底に取り付けられた２本のシールド片２０は、図３（ｂ）に見られるように、間隔を置いて平行しており、湾曲部した突出部２３が下方に向かって同程度に突出しており、図３（ａ）、（ｂ）に見られるように、押込み片５がある扉背面側に取付けられているブラケット２４が見栄えを損なうことなくきれいに納まっている。なお、扉体２に押込み片５に代ってパッキン状のシールド材４が設けられている場合も同様である。
【００１７】
下枠材２１は、導電性の金属板、例えばＳＵＳ３０４の板材を屈曲形成したもので、図２、図３に示すように、断面が下面を開放された略長方形で、開口枠１の幅に対応する必要長さに形成され、その上面に長手方向に沿って浅い断面Ｖ字型の溝３７が２条平行に、前記シールド片２０に対応して設けられている。このＶ字型の溝３７は、扉体が開閉移動する際に接触しない程度の余裕を持って内部をシールド片２０の突出部２３が移動できるような深さと幅を有する。Ｖ字状をなす溝の両側斜面のなす角度は概して９０度よりも大きく形成される。この下枠材２１は上面が床面ＦＬよりも僅かに上に出る状態、もしくは床面と同じに設置される。そして扉体２は底面が床面よりわずかに高い位置にあるように設けられていて、その底面と下枠材２１との間にブラケットのシールド片２０を取り付けた部分を挿入できる。すなわち扉体２を開いた状態とし、シールド片２０を取付けたブラケット２４、２５を、シールド片２０が下枠材２１のＶ字型の溝３７内に位置した状態に置き、次に扉体２を閉じた状態に移動させ、ブラケット２４、２５を扉体２にねじ止めする。これによりシールド片２０を変形させないで扉体２に取付けることができる。ブラケットが扉体２に固定されると、扉体２が開口枠１側へ押し付けられていない状態では、突出部２３がＶ字型の溝３７内中心付近に位置して元の突出状態に戻り、Ｖ字型の溝３７の内面には接触しないようになっている。
【００１８】
このように構成された扉下部シールド構造を有する電磁波シールド扉は、シールド状態に閉じるとき、扉体２が移動して開口枠１前において開口枠側へ押付けられるから、水平移動、つまりスライドして押込み片５がシールド材４に押込まれる状態で接触し、シールド片２０の突出部２３が、図３（ｃ）に示すように、Ｖ字型の溝３７の側面に弾性的に加圧接触する。したがって、開口枠１の開口３が閉じられ、開口枠１と扉体２との間に電磁波の通過できる隙間がなくなり、電磁波遮蔽状態となる。前述した例では開口周辺部において、押込み片５およびシールド材４が二重構造に設けられ、またシールド片２０とＶ字型の溝３７とが二重構造に設けられているから、一重構造でもよいが、二重構造のほうが電磁遮蔽作用がより確実になる。したがって二重以上の構造としてもよい。なお、扉体２を開くときは扉体２が開口枠１から離れる方向にスライドさせてから開方向に移動させる。これによりＶ字型の溝３７や押込み片５と接触しなくなるので、シールド片２０およびシールド材４が損傷することはない。
【００１９】
下枠材２１に形成したＶ字型の溝３７は、あまり深さや幅を大きく形成する必要がないから、段差を殆どなくすことができ、ストレッチャー等の台車がその上を容易に通過できる。しかも、Ｖ字型であることは清掃が容易であり、ごみが溜まり難く、シールド片が損傷されにくい。また、シールド片２０を複数本およびこれに対応するＶ字型の溝３７を設ける構成は、シールド作用をより確実なものとすることができる。
【００２０】
また、シールド片２０をブラケット２４、２５を介して取り付けた構成は、ブラケット２４、２５を扉体２の正面と背面とにねじ３５、３６で取り付けてあるから、シールド片２０交換の際に、扉体２を取り外すような作業が必要でなく、扉体２は通常の使用状態のままで、扉体の前面と背面からそれぞれブラケット２４、２５を取り外し、シールド片２０を交換してからもとの状態に取り付ければよく、シールド片交換作業が容易である。
【００２１】
【発明の効果】
請求項１記載の発明は、Ｖ字状溝を設ける構成により、従来のように床面に扉体の下縁部が入るような大きな溝を設ける必要がなく、段差を殆どなくすことができるから、ストレッチャー等の台車が容易に出入りできる効果を奏する。
請求項２記載の発明は、シールド作用するシールド片を複数本とこれに対応する複数条のＶ字状溝を設けることにより、シールド効果をより一層高めることができる効果を奏する。
請求項３記載の発明は、扉体を通常使用の開閉可能な状態でシールド片の交換作業が容易にできる効果を奏する。
請求項４記載の発明は、取付ブラケットの垂れ下がりを防止できる効果を奏する。
請求項５記載の発明は、見栄えを損なうことなく、シールド片を開口枠側に接近して取り付けることができ、開口枠前の下部に大きな隙間を作ることがなく、シールド効果を向上できる効果を奏する。
【図面の簡単な説明】
【図１】本発明を適用した電磁シールド扉の正面図である。
【図２】本発明の実施形態を示し、（ａ）は扉下部正面図、（ｂ）は扉下部背面図である。
【図３】同実施形態を示し、（ａ）は図２（ａ）のＡ−Ａ断面図、（ｂ）は図２（ａ）のＢ−Ｂ断面図、（ｃ）は（ｂ）と異なる状態（電磁遮蔽状態）のＢ−Ｂ断面図である。
【図４】同実施形態のブラケット２４を示し、（ａ）は正面図、（ｂ）は右側面図、（ｃ）は底面図である。
【図５】同実施形態のブラケット２５を示し、（ａ）は正面図、（ｂ）は左側面図、（ｃ）は底面図である。
【図６】同実施形態のシールド片を取り付けたブラケット２４を示し、（ａ）は正面図、（ｂ）は右側面図、（ｃ）は底面図である。
【図７】同実施形態のシールド片を取り付けたブラケット２５を示し、（ａ）は正面図、（ｂ）は左側面図、（ｃ）は底面図である。
【符号の説明】
１      開口枠
２      扉体
３      開口
４      シールド材
５      押込み片
６      戸袋
７      レール
８      転子
９      吊下げ部
１０    無端走行条体
１１    連結部
１２    押圧カム
１３    軸
１４    電動シリンダ
２０    シールド片
２１    下枠材
２３    突出部
２４、２５    ブラケット
２６    取付板部
２７    切欠部
２８    ねじ挿通孔
２９    ねじ孔
３０    ねじ
３１    取付板部
３２    ねじ挿通孔
３３    ねじ孔
３４    ねじ
３５、３６    取付けねじ
３７    Ｖ字型の溝
【図１】
0003810325.tif 000002
【図２】
0003810325.tif 000003
【図３】
0003810325.tif 000004
【図４】
0003810325.tif 000005
【図５】
0003810325.tif 000006
【図６】
0003810325.tif 000007
【図７】
0003810325.tif 000008